(57)【要約】【課題】  本考案は、人のお腹まわりを測定できる腹囲長さ判定具に係わり、腹囲長さが基準長さの範囲内か否かを簡単に比較することができる判定具を提供することを課題とする。【解決手段】  可撓性のある帯状長尺体の基端に指掛部を設け、該帯状長尺体の先端側に、少なくとも先端部と該先端部より梢手前側の２箇所に基準長さを判定する長尺判定部と短尺判定部の測定目印を設ける共に、該短尺判定部に指掛け可能な紐部材の基部を固設し、該紐部材の先部に使用説明書を付設したことにより、人のお腹周り長さを基準長さと比較して簡易に判定できる腹囲長さ判定具である。【選択図】  図２
0003135045.tif 000002
【実用新案登録請求の範囲】
【請求項１】
可撓性のある帯状長尺体の基端に指掛部を設け、該帯状長尺体の先端側に、少なくとも先端部と該先端部より梢手前側の２箇所に基準長さを判定する長尺判定部と短尺判定部の測定目印を設ける共に、該短尺判定部に指掛け可能な紐部材の基部を固設し、該紐部材の先部に使用説明書を付設したことにより、人のお腹周り長さを基準長さと比較して簡易に判定できることを特徴とする腹囲長さ判定具。
【請求項２】
前記帯状長尺体を可撓性のある生地にし、基端からの基準長さを長尺判定部は９０センチ、短尺判定部は８５センチの位置に測定目印を設定したことを特徴とする請求項１に記載の腹囲長さ判定具。
【請求項３】
前記帯状長尺体の基端から短尺判定部までの色を青色系にし、短尺判定部から長尺判定部までの色を赤色系にしたことを特徴とする請求項１および請求項２に記載の腹囲長さ判定具。
【請求項４】
前記帯状長尺体の基端から先端の長尺判定部までの全体を青色系の生地にし、短尺判定部から長尺判定部までを赤色系に生地にして、青色系生地の先端側に前記紐部材の基部を間に挟んだ状態で赤色系生地を重合固設したことを特徴とする請求項３記載の腹囲長さ判定具。
【請求項５】
前記帯状長尺体の青色系生地および赤色系生地を布製に構成したことを特徴とする請求項４に記載の腹囲長さ判定具。
【考案の詳細な説明】
【技術分野】
【０００１】
本考案は、人のお腹まわりを簡易的に測定できる腹囲長さ判定具に係わり、可撓性のある帯状長尺体をお腹に回して腹囲長さが基準長さの範囲内か否かを簡単に比較することができ、この比較結果から簡易にメタボリック症候群（内臓脂肪症候群）の予測が判定できる腹囲長さ判定具に関する。
【背景技術】
【０００２】
近年、メタボリックシンドロームの基準の中で一番注目されているのは腹囲（おなか回り）のサイズと言われており、日本の基準では男性で８５センチ以上、女性では９０センチ以上が必要条件となり、これを満たした上で、血糖値、血清脂質値、血圧などの数値の二つ以上に異常があるとメタボリックシンドローム（メタボリック症候群、又は内臓脂肪症候群）と診断される。腹囲長さを測る測定具は各分野で実用化されており、例えば特許文献１などが提案されている。
【特許文献１】登録実用新案第３０４２７８３号公報
【考案の開示】
【考案が解決しようとする課題】
【０００３】
特許文献１に示されるダイエット目標テープは在来のメジャーに改良を加えたものであり腹囲長さを測ることができるものであるが、目盛りや目標表示等が小さくて見えにくく上記に説明した男性で８５センチ以上、女性では９０センチ以上の必要条件を一目で把握することは困難であった。
【０００４】
本考案が前述の状況に鑑み、解決しようとするところは、人のお腹まわりを簡易的に測定できる腹囲長さ判定具に係わり、可撓性のある帯状長尺体をお腹に回して腹囲長さが基準長さの範囲内か否かを簡単に比較することができ、この比較結果から簡易にメタボリック症候群（内臓脂肪症候群）の予測が判定できる腹囲長さ判定具を提供する点にある。
【課題を解決するための手段】
【０００５】
本考案は、前述の課題解決のために、第一に、可撓性のある帯状長尺体の基端に指掛部を設け、該帯状長尺体の先端側に、少なくとも先端部と該先端部より梢手前側の２箇所に基準長さを判定する長尺判定部と短尺判定部の測定目印を設ける共に、該短尺判定部に指掛け可能な紐部材の基部を固設し、該紐部材の先部に使用説明書を付設したことにより、人のお腹周り長さを基準長さと比較して簡易に判定できるもので、使用説明書の項目を適宜に理解しながら一方の手先で基端を持って指掛部で滑り無く確実に把持し、他方の手先で先端部近くを持って、基端と先端部をお腹の前で合わせることにより長尺判定部と短尺判定部の測定目印に対する基端の位置を目視して腹囲長さが基準内か否かを判定できる。
【０００６】
第二に、前記帯状長尺体を可撓性のある生地にし、基端からの基準長さを長尺判定部は９０センチ、短尺判定部は８５センチの位置に測定目印を設定したことにより、お腹回りにやさしく巻いて測定でき不使用時の収納保管もコンパクトにできる。
【０００７】
第三に、前記帯状長尺体の基端から短尺判定部までの色を青色系にし、短尺判定部から長尺判定部までの色を赤色系にしたことより、基端の位置を色判定で比較できて見えやすくて腹囲長さが基準内にあるか否かを判定が容易にできる。
【０００８】
第四に、前記帯状長尺体の基端から先端の長尺判定部までの全体を青色系の生地にし、短尺判定部から長尺判定部までを赤色系の生地にして、青色系生地の先端側に前記紐部材の基部を間に挟んだ状態で赤色系生地を重合固設したことにより、縫製作業や接着作業の過程で効率良く組み付け固定できるものである。
【０００９】
第五に、前記帯状長尺体の青色系生地および赤色系生地を布製に構成したことにより、これらの部材を縫製作業により縫い付けることができる。
【考案の効果】
【００１０】
以上のように本考案の腹囲長さ判定具によれば、可撓性のある帯状長尺体を人のお腹まわりに回して腹囲長さを基準長さと簡単に比較することができ、この比較結果から簡易にメタボリック症候群（内臓脂肪症候群）の予測が判定できる効果がある。
【考案を実施するための最良の形態】
【００１１】
以下、実施例に関する図面に基づいて本考案を詳細に説明する。
図１は本考案の使用説明図、図２は本考案の腹囲長さ判定具の概要図、図３と図４に説明書の記載を例示する。図面に示すように腹囲長さ判定具Ａであり、可撓性のある布製生地又はテープ素材で構成された帯状長尺体１の基端２に折り返し部とした指掛部３を設け、該帯状長尺体２の先端側に、少なくとも先端部４と該先端部４より梢手前側５の２箇所に基準長さを判定する長尺判定部Ｘと短尺判定部Ｙの測定目印が設けてあり、基端からの基準長さを長尺判定部XはＬ長さ９０センチ、短尺判定部ＹはＰ長さ８５センチの位置に測定目印が設定されている。
【００１２】
そして、帯状長尺体Ａの基端２から短尺判定部Ｙまでの色を青色系にし、短尺判定部Ｙから長尺判定部Ｘまでの色を赤色系に構成されてあり、このために前記帯状長尺体Ａの基端２から先端４の長尺判定部Ｘまでの全体を青色系の生地にし、短尺判定部Ｙから長尺判定部Ｘまでを赤色系に生地にして、青色系生地の短尺判定部Ｙ近くに先端側に後述する指掛け可能な紐部材６の基部を間に挟んだ状態で赤色系生地（Ｓ長さ５センチ）を縫製若しくは接着等で重合固設してある。前記短尺判定部Ｙ近くに固設した紐部材６の長さは７〜８センチ程度であり先部に透明ケース７でラミネート保護されたチェックボードとなる使用説明書８が付設されている。
【実施例１】
【００１３】
以上の構成により、人のお腹周り長さを基準長さと比較して簡易に判定できるもので、使用説明書８の項目を適宜に理解しながら一方の手先で基端２を持って指掛部３で滑り無く確実に把持し、他方の手先で先端部４近く若しくは紐部材６部分を滑り無く持って、お腹回りにやさしく巻いて基端２と先端部４をお腹の前で合わせることにより長尺判定部Ｘと短尺判定部Ｙの測定目印に対する基端２の位置を色判定で比較できて見えやすくて腹囲長さが基準内か否かを判定が容易にできる。
【００１４】
このように、本考案の腹囲長さ判定具は、
１、紐の色を青とピンクにし、明るい上に優しい色使いとしながらも、その対照的な色により危険に対する認知を印象深いものとする。
２、メタボリックシンドロームの危険の告知、自覚を促すためのアンケート式チェックを表したミニボードを本体のボーダーライン位置に取り付けることにより、その表の見やすさと、万が一、計測者が対象となった際の危機感を増長する。
３、本体の材質は自分で腹部に回しやすいように柔軟で体に優しいアクリル１００％生地を使用する。
４、腹囲くん本体とチェックボードを結束する紐を耐久性を確保するために、レーヨン１００％素材とし、また紐の長さを７．５センチとすることによりチェックボードが見やすくなった。
５、チェックボードは、折り曲げ、水濡れ、等の耐久性向上のためラミネート保護を施す。
点の有利性がある。
【産業上の利用可能性】
【００１５】
本考案の腹囲長さ判定具（腹囲くん）は、生活習慣病として現在恐れられている「メタボリックシンドローム」の対象者、及び予備軍に対し早期認識、早期対処を求め、より多くの人の健康維持に努めたい。しかも、その自覚を簡易に安価にて出来る用具として普及できるものであり、健康教室などの説明用教材や保険、ダイエット商品、展示会等のプレミアム商品としても普及することができる。
【図面の簡単な説明】
【００１６】
【図１】本考案の使用説明図である。
【図２】本考案の腹囲長さ判定具の概要図である。
【図３】説明書の表面図である。
【図４】説明書の裏面図である。
【符号の説明】
【００１７】
Ａ  腹囲長さ判定具
Ｘ  短尺判定部
Ｙ  長尺判定部
７  透明ケース
８  使用説明書
【図１】
0003135045.tif 000003
【図２】
0003135045.tif 000004
【図３】
0003135045.tif 000005
【図４】
0003135045.tif 000006